(57)【特許請求の範囲】
【請求項１】
操作する際に握る握り部と、該握り部から延びる軸部と、該軸部の先端にディスプレーに接触させて操作するタッチ部が直列に設けられたタッチペンにおいて、  透明性の材料により形成した前記軸部の上下面を平行面として透視性を確保し、  また、前記握り部に前記軸部の上下面がディスプレーに対して円周方向において平行に維持する維持手段を設けたことを特徴とするタッチペン。
【請求項２】
維持手段を、握り部を円周方向に対して方向性のある断面形状にしていることを特徴とする請求項１記載のタッチペン。
【請求項３】
維持手段を、握り部に円周方向の特定の方向を表示する表示部を設けたことを特徴とする請求項１記載のタッチペン。
【請求項４】
軸部の断面形状を方形に形成していることを特徴とする請求項１記載のタッチペン。
【請求項５】
軸部の断面形状を台形に形成していることを特徴とする請求項１記載のタッチペン。
【発明の詳細な説明】
【技術分野】
【０００１】
本発明は、ピーディーエーやタブレット、タッチパネルなどのディスプレーの座標を指定するために用いられるペン型の入力装置（以下タッチペンという。）に関する。
【背景技術】
【０００２】
タッチペンは、鉛筆を持つように握って、ディスプレーの感圧面に先端を接触させて操作する入力装置であり、目標とする部位に正確にタッチする必要がある。  
【０００３】
ディスプレーが暗い場合には、タッチする正確な位置が不明瞭になりやすい。このため特許文献１では、先端のタッチ部付近に発光ダイオードを配し、この発光ダイオードによる発光でディスプレイを照明して見やすくした技術が開示されている。  
【０００４】
また、室内の明るい場所で操作する場合であっても、タッチペンの影がディスプレー上に落ちて見づらい場合がある。このように、影が落ちないように全体を透明体とした指示棒も考案されている（特許文献２）。  
【０００５】
【特許文献１】登録実用新案第３０３４６３８号公報
【特許文献２】実開昭６４−９２７５号公報
【発明の開示】
【発明が解決しようとする課題】
【０００６】
しかしながら、タッチペンは鉛筆を持つように握って操作するため、タッチペン自体によってディスプレーの一部が操作する者の視野から覆い隠されてしまう。例えば右利きのユーザーが指で握る場合には、タッチパネルの画面左側をタッチすると画面右側が、また左利きのユーザーが使う場合は、タッチパネルの画面右側をタッチすると画面左側がタッチペン自体に隠されて見えなくなるため、操作者がどこをポイントしているかわからなくなることがあった。
【０００７】
特に、ゲーム機の場合には、タッチすべき箇所を次々と迅速に移動させる必要があり、タッチしている瞬間には次にタッチすべき箇所を認識していなければ、ゲームの高得点は得られない。また、単にタッチペンを透明体としただけでは、十分な透視性を確保することはできない。  
【０００８】
そこで本発明では、タッチペン自体によってディスプレーが覆い隠されないで見ることができるタッチペンを提供することを目的としている。
【課題を解決するための手段】
【０００９】
この課題解決する為に、請求項１の発明では、操作する際に握る握り部と、握り部から延びる軸部と、軸部の先端にディスプレーに接触させて操作するタッチ部が直列に設けられたタッチペンにおいて、透明性の材料により形成した軸部の上下面を平行面として透視性を確保し、また、握り部に軸部の上下面がディスプレーに対して円周方向において平行に維持する維持手段を設けたことを特徴としている。  
【００１０】
この構成により、操作者がタッチペンを握るに際して、維持手段により、軸部に平行面とした上下面がディスプレーに対して円周方向で平行に維持することが容易になる。これにより軸部の透視性が確保される。  
【００１１】
特に、維持手段を、握り部を円周方向に対して方向性のある断面形状にすることによって、操作者が握り部を握るに際して、円周方向に対して正しい角度で握ることができる（請求項２）。  
【００１２】
また、維持手段を、握り部に円周方向の特定の方向を表示する表示部を設けることによって、操作者が円周方向に対して正しい角度で握ることが容易になる（請求項３）。  
【００１３】
請求項４の発明では、軸部の断面形状を方形に形成している。これにより、上下面を円周方向において平行面に形成することによって、透視性が確保できる。特に請求項５の発明では、軸部の断面形状を台形とすることにより、軸部の厚みから生じる視認できない領域を少なくすることができる。
【発明の効果】
【００１４】
請求項１の発明では、操作する際に握る握り部と、握り部から延びる軸部と、軸部の先端にディスプレーに接触させて操作するタッチ部が直列に設けられたタッチペンにおいて、透明性の材料により形成した軸部の上下面を平行面として透視性を確保し、また、握り部に軸部の上下面がディスプレーに対して円周方向において平行に維持する維持手段を設けることによって、操作者は軸部の透視性が容易に確保できて、タッチペン自体によってディスプレーが覆い隠されないで見ることができるタッチペンとすることができる。
【発明を実施するための最良の形態】
【００１５】
タッチペン自体によってディスプレーが覆い隠されないで見ることができるタッチペンとするために、透明性の材料により形成した軸部の上下面を平行面として透視性を確保し、また、握り部に軸部の上下面がディスプレーに対して円周方向において平行に維持する維持手段を設けた。
【実施例】
【００１６】
図１は、実施例１のタッチペン１を操作する際の状態を示す概略図であって、図示しない操作者が鉛筆を持つようにタッチペン１を握って、タッチパネルＰの表面に対して斜め方向に維持した状態で操作される。  
【００１７】
タッチペン１は、図２に示すように、操作者が鉛筆を持つように握る握り部２と、握り部２から延びる軸部３と、軸部３の先端にディスプレーに接触させて操作するタッチ部４が直列して設けられている。  
【００１８】
握り部２は、握りやすいように、太さ１０ｍｍ、長さ約６０ｍｍの略円形断面の棒状とされている。また、この実施例１では、図３に示すように、握り部２は、その左右にそれぞれ窪んだ維持手段としての凹溝２１が形成され、円周方向に対して方向性のある断面形状に形成されている。この維持手段としての凹溝２１により、操作者が握り部２を握るに際しては、親指と人差し指の腹をそれぞれ左右の凹溝２１に当てて握ることになり、タッチペン１は、円周方向において定められた所定の角度に握られる。なお、握り部２の後端には、ストラップを通す通孔部５が形成されている。  
【００１９】
軸部３は、透明性のプラスチックからなり、長さを約７５ｍｍとされている。その断面形状は図４に示すように長方形とされ、実施例１では、厚さ３ｍｍ、横幅６ｍｍとされている。すなわち、軸部３の上面３１と下面３２は、それぞれ平行面とされ、またそれぞれの面が平滑に仕上げられている。ここで、握り部２と軸部３の上下面３１、３２との円周方向の関係は、握り部２を操作者が握った場合に、軸部３の上下面３１、３２が図１に示すようにディスプレーの面に対して平行になるように設けられている。すなわち、握り部２の両側の凹溝２１、２１の中央間を結んだラインと、軸部３の上下面３１、３２とが平行になるように設けられている。これにより軸部３の上下面３１、３２がディスプレーの面に対して円周方向において平行に維持される。これにより、軸部３の上面３１から下面３２を覗いた際に透視性が確保されて、軸部３自体によってディスプレーの一部が操作する者の視野から覆い隠されることなくディスプレーＰを透視することができる。  
【００２０】
タッチ部４は、軸部３の先端から突出して設けられていて、その先端がタッチパネルを傷めないように半球状に成形されている。
【００２１】
以上説明した実施例１では、操作者がタッチペン１を握るに際して、握り部２に設けた凹溝２１に親指と人差し指の腹を当てて握ることになり、タッチペン１の円周方向において定められた所定の角度に握られる。そして、ディスプレーＰの表面上をタッチして操作するに際しては、軸部３の上下面３１、３２が正しく上下に配置されて、操作者は軸部３によって妨げられることなく、軸部３を通してディスプレーＰの表面を見ることができる。
【００２２】
図５（ａ）〜（ｃ）は、握り部を円周方向に対して方向性のある断面形状にしている他の実施例を示し、図５（ａ）は握り部２ａの断面形状を略三角形にしている。この実施例では、略三角形の２面２１ａ、２１ａに親指と人差し指の腹を当てて握ることになり、タッチペンの円周方向において定められた一定の角度に握られる。
【００２３】
図５（ｂ）は握り部２ｂの断面形状をまゆ形にしている。この実施例においても、握り部２に設けた凹溝２１ｂ、２１ｂに親指と人差し指の腹を当てて握ることになり、タッチペンの円周方向において定められた所定の角度に握られる。
【００２４】
図５（ｃ）は握り部２ｃの断面形状を長方形にしている。この実施例においても、握り部２ｃに設けた左右の辺２１ｃ、２１ｃに親指と人差し指の腹を当てて握ることになり、タッチペンの円周方向において定められた所定の角度に握られる。
【００２５】
図６（ａ）〜（ｃ）は、握り部の断面形状を円形に形成し、円周方向の特定の方向を表示する表示部を設けた他の実施例を示し、図６（ａ）は握り部２ｄの胴回りに模様溝２１ｄを形成した例であって、模様溝２１ｄの屈曲点２１ｄ１に合わせて握ることにより、タッチペンの円周方向において定められた所定の角度に握られる。
【００２６】
図６（ｂ）は握り部２ｅの胴回りの所定の箇所にマーク２１ｅを表示した例であって、このマーク２１ｅに合わせて握ることにより、タッチペンの円周方向において定められた所定の角度に握られる。
【００２７】
図６（ｃ）は握り部２ｆの胴回りの所定の箇所にマーク溝２１ｆを形成した例であって、マーク溝２１ｆに合わせて握ることにより、タッチペンの円周方向において定められた一定の角度に握られる。  
【００２８】
図７（ａ）〜（ｃ）は、軸部の他の実施例を示し、図７（ａ）は軸部３ａの断面形状を台形にしている。図８に示すように、実施例１では、軸部３の断面を長方形に形成していた。このため、操作者の目の位置Ｓから軸部を透かして見た際に、一点鎖線で示すように、軸部の厚さにより透視できない部分δを生じてしまう。一方、この図７（ａ）の実施例では、図８に示すように、軸部３ａの厚さに影響されることなく透視できないデッドスペースを最小にすることができる。  
【００２９】
図７（ｂ）は、軸部３ｂの断面形状を小判形にした例であり、図７（ｃ）は軸部３ｃの中央の横幅を大きくした例であって、いずれも軸部３ｂ、３ｃの剛性を高めることができる。
【図面の簡単な説明】
【００３０】
【図１】実施例１の使用状態を示す概略図である。
【図２】実施例１の斜視図である。
【図３】握り部の断面図である。
【図４】軸部の断面図である。
【図５】握り部の他の実施例を示す断面図である。
【図６】握り部の他の実施例を示す断面図である。
【図７】軸部の他の実施例を示す断面図である。
【図８】図７（ａ）の作用を説明する説明図である。
【符号の説明】
【００３１】
１ タッチペン  
２    握り部  
３    軸部  
４    タッチ部  
２１  凹溝（維持手段）
【要約】
【課題】鉛筆を持つように握って操作するタッチペンにおいて、タッチペン自体によってディスプレーの一部を視野から覆い隠してしまうことの無いようにする。
【解決手段】握り部２は、略円形断面の棒状とし、その左右にそれぞれ窪んだ凹溝（維持手段）２１を形成して円周方向に対して方向性のある断面形状にする。これにより操作するに際して、親指と人差し指の腹をそれぞれ左右の凹溝２１に当てて握ることになり、タッチペン１は、円周方向において定められた所定の角度に握られる。軸部３は透明体からなり、上面３１と下面３２をそれぞれ平行面として、透視性が確保される。ここで、握り部２と軸部３の上下面３１、３２は、操作者が握り部２を握った際に、ディスプレーに対して円周方向において平行になるように構成する。この構成により、軸部３の透視性が確保され、軸部３を通してディスプレーＰの表面を見ることができる。
【選択図】図２【図１】
0004140861.tif 000002
【図２】
0004140861.tif 000003
【図３】
0004140861.tif 000004
【図４】
0004140861.tif 000005
【図５】
0004140861.tif 000006
【図６】
0004140861.tif 000007
【図７】
0004140861.tif 000008
【図８】
0004140861.tif 000009